【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
式（Ｉ）の色素化合物、またはこの互変異性形態の１つ
【化１】
2008520782.tif 000001
［式中、
Ｘは、脱プロトン化されたヒドロキシ（−ＯＨ）、チオール（−ＳＨ）またはアミン（ＮＨＲ１）を表し、ここで、Ｒ１は、水素、Ｃ１〜１２アルキル｛置換されていないか、ヒドロキシ（−ＯＨ）、Ｃ６〜１２アリール、ハロゲン、−ＮＲ９Ｒ１０（Ｒ９およびＲ１０は、独立して、水素、Ｃ１〜１２アルキルまたはＣ６〜１２アリールである）で置換されている｝、ベンジルまたはＣ６〜１２アリールを表し、
Ｙは、酸素、硫黄またはイミノ窒素Ｎ−Ｒ２を表し、ここで、Ｒ２は、水素、Ｃ１〜１２アルキル｛置換されていないか、ヒドロキシ（−ＯＨ）、Ｃ６〜１２アリール、ハロゲン、−ＮＲ’Ｒ”（Ｒ’およびＲ”は、独立して、水素、Ｃ１〜１２アルキルまたはＣ６〜１２アリールである）で置換されている｝、ベンジルまたはＣ６〜１２アリールを表し、
ｚは、−２〜＋２までの電荷を表し、
Ａｎ−は、例えばヨウ素、フッ素、臭素、塩素、過塩素酸、ヘキサフルオロアンチモン酸、ヘキサフルオロリン酸、テトラフルオロホウ酸、テトラフェニルホウ酸などの無機アニオン、または例えばジシアノアミド（Ｎ（ＣＮ）２）またはトリフルオロメタンスルホンイミド（Ｎ（ＳＯ２ＣＦ３）２などの有機アニオンから選択される対アニオンを表し；あるいはＡｎ−は、アニオン性アゾ金属錯体であってもよく、
Ｍは、金属イオンを表し、
Ａは、５員または６員の芳香族またはヘテロ芳香族環であり、これは、更に置換されるか、アニールされていてもよく、
ｎは、１〜４までの整数を表す］。
【請求項２】
Ｘが、脱プロトン化されたヒドロキシ（−ＯＨ）またはチオール（−ＳＨ）を表し、
Ｙが、酸素または硫黄を表し、
ｚが、０〜＋１までの電荷を表し、
Ａｎ−が、例えば塩素、過塩素酸、ヘキサフルオロアンチモン酸、ヘキサフルオロリン酸、テトラフルオロホウ酸、テトラフェニルホウ酸などの無機アニオン、または例えばジシアノアミド（Ｎ（ＣＮ）２）またはトリフルオロメタンスルホンイミド（Ｎ（ＳＯ２ＣＦ３）２などの有機アニオンから選択される対アニオンを表し；あるいは
Ａｎ−が、アニオン性アゾ金属錯体であってもよく、
Ｍが、Ｃａ、Ｓｒ、Ｂａ、Ａｌ、Ｇａ、Ｉｎ、Ｓｃ、Ｙ、Ｔｉ、Ｚｒ、Ｖ、Ｎｂ、Ｔａ、Ｃｒ、Ｍｏ、Ｗ、Ｍｎ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｈｇ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕからなる群から選択される金属イオンを表し、
ｎが、１〜４までの整数を表し、
Ａが、次の群：
【化２】
2008520782.tif 000002
［式中、
Ｒ３およびＲ４は、互いに独立して、水素、Ｃ１〜８アルキル｛アルキルは、置換されていなくても、Ｃ１〜８アルキル、ヒドロキシ（−ＯＨ）、Ｃ６〜１２アリールまたは−ＮＲ９Ｒ１０（Ｒ９およびＲ１０は、独立して、水素、Ｃ１〜８アルキルまたはＣ６〜１２アリールである）によって置換されていてもよい｝；
ＣＸ３（Ｘは塩素、フッ素、臭素であり得る）；
Ｃ６〜１２アリール｛置換されていないか、Ｃ１〜８アルキル、ヒドロキシ（−ＯＨ）、ニトロ（ＮＯ２）、シアノ（−ＣＮ）、ハロゲン、Ｃ６〜１２アリール、−ＮＲ９Ｒ１０（Ｒ９およびＲ１０は、独立して、水素、Ｃ１〜８アルキルまたはＣ６〜１２アリールである）またはＣ１〜８アルコキシ（−ＯＲ）によって置換されている｝を表し、
Ｒ５〜Ｒ８は、互いに独立して、水素、シアノ（−ＣＮ）、ハロゲン、ニトロ（ＮＯ２）、ヒドロキシ、直線状または分枝状Ｃ１〜８アルコキシ（−ＯＲ）｛アルキル（Ｒ）は、置換されていなくても、Ｃ１〜８アルキル、ヒドロキシ（−ＯＨ）、Ｃ６〜１２アリール、−ＮＲ９Ｒ１０（Ｒ９およびＲ１０は、独立して、水素、Ｃ１〜８アルキルまたはＣ６〜１２アリールである）によって置換されていてもよい｝；
アミノ（ＮＲ９Ｒ１０）｛Ｒ９およびＲ１０は、独立して、水素、Ｃ１〜８アルキル、またはＣ６〜１２アリールであるか、またはＲ９およびＲ１０は、５員環または６員環（更にヘテロ原子を含んでいてもよい）を形成していてもよい｝；
直線状または分枝状Ｃ１〜８アルキル｛アルキルは、置換されていなくても、Ｃ１〜８アルキル、ヒドロキシ（−ＯＨ）、Ｃ６〜１２アリール、または−ＮＲ９Ｒ１０（Ｒ９およびＲ１０は、独立して、水素、Ｃ１〜８アルキルまたはＣ６〜１２アリールである）によって置換されていてもよい｝；
ＣＸ３（Ｘは、塩素、フッ素、臭素であり得る）；
直線状または分枝状Ｃ１〜８アルキルチオ｛アルキルは、置換されていなくても、Ｃ１〜８アルキル、ヒドロキシ（−ＯＨ）、Ｃ６〜１２アリール、または−ＮＲ９Ｒ１０（Ｒ９およびＲ１０は、独立して、水素、Ｃ１〜８アルキルまたはＣ６〜１２アリールである）によって置換されていてもよい｝；
Ｃ６〜Ｃ１２アリール｛置換されていないか、Ｃ１〜８アルキル、ヒドロキシ（−ＯＨ）、ニトロ（ＮＯ２）、シアノ（−ＣＮ）、ハロゲン、Ｃ６〜１２アリール、−ＮＲ９Ｒ１０（Ｒ９およびＲ１０は、独立して、水素、Ｃ１〜８アルキルまたはＣ６〜１２アリールである）またはＣ１〜Ｃ８アルコキシ（−ＯＲ）によって置換されている｝を表す］
の１つまたはこれらの互変異性形態の１つを形成するように選択される、
請求項１に記載の式（Ｉ）の色素化合物。
【請求項３】
Ｘが、脱プロトン化されたヒドロキシ（−ＯＨ）を表し、
Ｙが、酸素を表し、
ｚが、０〜＋１までの電荷を表し、
Ａｎ−が、塩素を表し、
Ｍが、Ａｌ、Ｙ、Ｚｒ、Ｃｒ、Ｆｅ、Ｃｏ、Ｎｉ、Ｃｕ、Ｚｎ、Ｙｂからなる群から選択される金属イオンを表し、
ｎが、２〜３までの整数を表し、
Ａが、次の群：
【化３】
2008520782.tif 000003
［式中、
Ｒ３およびＲ４は、互いに独立して、水素、Ｃ１〜８アルキル｛アルキルは、置換されていなくても、Ｃ１〜８アルキル、ヒドロキシ（−ＯＨ）、Ｃ６〜１２アリールまたは−ＮＲ９Ｒ１０（Ｒ９およびＲ１０は、独立して、水素、Ｃ１〜８アルキルまたはＣ６〜１２アリールである）によって置換されていてもよい｝；
Ｃ６〜１２アリール｛置換されていないか、Ｃ１〜８アルキル、ヒドロキシ（−ＯＨ）、ニトロ（ＮＯ２）、シアノ（−ＣＮ）、ハロゲン、Ｃ６〜１２アリール、−ＮＲ９Ｒ１０（Ｒ９およびＲ１０は、独立して、水素、Ｃ１〜８アルキルまたはＣ６〜１２アリールである）またはＣ１〜８アルコキシ（−ＯＲ）によって置換されている｝を表し、
Ｒ５〜Ｒ８は、互いに独立して、水素、シアノ（−ＣＮ）、ハロゲン、ニトロ（ＮＯ２）、ヒドロキシ、直線状または分枝状Ｃ１〜８アルコキシ（−ＯＲ）｛アルキル（Ｒ）は、置換されていなくても、Ｃ１〜８アルキル、ヒドロキシ（−ＯＨ）、Ｃ６〜１２アリール、−ＮＲ９Ｒ１０（Ｒ９およびＲ１０は、独立して、水素、Ｃ１〜８アルキルまたはＣ６〜１２アリールである）によって置換されていてもよい｝；
アミノ（ＮＲ９Ｒ１０）｛Ｒ９およびＲ１０は、独立して、水素、Ｃ１〜８アルキル、またはＣ６〜１２アリールであるか、またはＲ９およびＲ１０は、５員環または６員環（更にヘテロ原子を含んでいてもよい）を形成していてもよい｝；
直線状または分枝状Ｃ１〜８アルキル｛アルキルは、置換されていなくても、Ｃ１〜８アルキル、ヒドロキシ（−ＯＨ）、Ｃ６〜１２アリール、または−ＮＲ９Ｒ１０（Ｒ９およびＲ１０は、独立して、水素、Ｃ１〜８アルキルまたはＣ６〜１２アリールである）によって置換されていてもよい｝；
ＣＸ３（Ｘは、塩素、フッ素、臭素であり得る）；
直線状または分枝状Ｃ１〜８アルキルチオ｛アルキルは、置換されていなくても、Ｃ１〜８アルキル、ヒドロキシ（−ＯＨ）、Ｃ６〜１２アリール、または−ＮＲ９Ｒ１０（Ｒ９およびＲ１０は、独立して、水素、Ｃ１〜８アルキルまたはＣ６〜１２アリールである）によって置換されていてもよい｝；
Ｃ６〜Ｃ１２アリール｛置換されていないか、Ｃ１〜８アルキル、ヒドロキシ（−ＯＨ）、ニトロ（ＮＯ２）、シアノ（−ＣＮ）、ハロゲン、Ｃ６〜１２アリール、−ＮＲ９Ｒ１０（Ｒ９およびＲ１０は、独立して、水素、Ｃ１〜８アルキルまたはＣ６〜１２アリールである）またはＣ１〜Ｃ８アルコキシ（−ＯＲ）によって置換されている｝を表す］
の１つまたはこれらの互変異性形態の１つを形成するように選択される、
請求項１に記載の式（Ｉ）の色素化合物。
【請求項４】
色素化合物が、式（ＩＩ）の化合物である、請求項１に記載の式（Ｉ）の色素化合物
【化４】
2008520782.tif 000004
［式中、
ｚは、０〜＋１までの電荷を表し、
Ａｎ−は、塩素を表し、
Ｍは、Ａｌ、Ｚｒ、Ｃｒ、Ｃｏ、Ｎｉ、Ｃｕ、Ｚｎからなる群から選択される金属イオンを表し、
ｎは、２〜３までの整数を表し、
Ｒ３は、フェニルまたはｐ−トリルを表し、
Ｒ４は、メチルまたはベンジルを表し、
Ｒ５は、メチルまたはフェニルを表す］。
【請求項５】
請求項１〜４に記載の式（Ｉ）による少なくとも１種の色素化合物または請求項１〜４に記載の式（Ｉ）による少なくとも２種の色素化合物の混合物を含む光学層。
【請求項６】
（ａ）基板を準備する工程、
（ｂ）有機溶媒中に請求項１〜４に記載の式（Ｉ）の色素化合物または色素化合物の混合物を溶解させて、溶液を形成する工程、
（ｃ）基板（ａ）上に溶液（ｂ）を塗布する工程、
（ｄ）溶媒を蒸発させて色素層を形成する工程
を含む、請求項５に記載の光学層の製造方法。
【請求項７】
基板が、ポリカーボネート（ＰＣ）またはポリメチルメタクリレート（ＰＭＭＡ）である、請求項６に記載の方法。
【請求項８】
有機溶媒が、Ｃ１〜８アルコール、ハロゲン置換Ｃ１〜８アルコール、Ｃ１〜８ケトン、Ｃ１〜８エーテル、ハロゲン置換Ｃ１〜４アルカンまたはアミドから選択される、請求項６に記載の方法。
【請求項９】
Ｃ１〜８アルコールまたはハロゲン置換Ｃ１〜８アルコールが、メタノール、エタノール、イソプロパノール、ジアセトンアルコール（ＤＡＡ）、２，２，３，３−テトラフルオロプロパノール、トリクロロエタノール、２−クロロエタノール、オクタフルオロペンタノールまたはヘキサフルオロブタノールから選択され、
Ｃ１〜８ケトンが、アセトン、メチルイソブチルケトン、メチルエチルケトンまたは３−ヒドロキシ−３−メチル−２−ブタノンから選択され、
ハロゲン置換Ｃ１〜４アルカンが、クロロホルム、ジクロロメタンまたは１−クロロブタンから選択され、および
アミドが、ジメチルホルムアミドまたはジメチルアセトアミドから選択される、請求項６に記載の方法。
【請求項１０】
請求項５に記載の光学層を含む光記録媒体。